【手続補正書】
【提出日】平成19年2月27日(2007.2.27)
【手続補正１】
【補正対象書類名】明細書
【補正対象項目名】請求項８
【補正方法】変更
【補正の内容】
【請求項８】
請求項７に記載の予約情報設定方法であって、
前記日付選択受付工程において、日付の選択入力を受け付けた場合に、目的とする前記日付においての放送番組表の表示指示入力を受け付ける表示指示受付工程と、
前記表示指示受付工程において、前記放送番組表の表示が指示された場合に、放送番組表情報に基づいて、目的とする前記日付においての前記放送番組表を表示させるための信号を形成し、前記放送番組表を表示するようにする放送番組表表示工程と、
を有し、
前記予約情報受付工程においては、前記放送番組表表示工程において表示するようにされる前記放送番組表を通じて、前記予約情報を受け付けることを特徴とする予約情報設定方法。
【手続補正２】
【補正対象書類名】明細書
【補正対象項目名】請求項１１
【補正方法】変更
【補正の内容】
【請求項１１】
請求項７、請求項８、請求項９または請求項１０に記載の予約情報設定方法であって、
前記予約情報受付工程において受け付けた前記予約情報を記憶手段に記憶する予約情報記憶工程と、
前記予約情報記憶工程において前記記憶手段に記憶された前記予約情報が放送番組についての視聴予約情報である場合に、前記視聴予約情報により示される日時の到来を検知したときに、前記視聴予約情報により示される放送番組を視聴できるようにする視聴予約実行工程と
を有することを特徴とする予約情報設定方法。
【手続補正３】
【補正対象書類名】明細書
【補正対象項目名】請求項１２
【補正方法】変更
【補正の内容】
【請求項１２】
請求項７、請求項８、請求項９または請求項１０に記載の予約情報設定方法であって、
前記予約情報受付工程において受け付けた前記予約情報を記憶手段に記憶する予約情報記憶工程と、
前記予約情報記憶工程において前記記憶手段に記憶された前記予約情報が放送番組についての録画予約情報である場合に、前記録画予約情報により示される日時の到来を検知したときに、前記録画予約情報により示される放送番組を情報信号記憶手段に記録する録画予約実行工程と
を備えることを特徴とする予約情報設定方法。
【手続補正４】
【補正対象書類名】明細書
【補正対象項目名】００５３
【補正方法】変更
【補正の内容】
【００５３】
映像信号処理回路７は、これに供給されたアナログル映像信号から、ディスプレイ８に供給する形式の信号、例えば、Ｒ（赤）、Ｇ（緑）、Ｂ（青）の３原色信号を形成し、これをディスプレイ８に供給する。
【手続補正５】
【補正対象書類名】明細書
【補正対象項目名】００５４
【補正方法】変更
【補正の内容】
【００５４】
ディスプレイ８は、この実施の形態においては、ＣＲＴ（Ｃａｔｈｏｄｅ−Ｒａｙ  Ｔｕｂｅ）ディスプレイであり、これに供給された映像信号に応じた映像を自己の表示画面に表示させる。これにより、衛星放送信号により提供され、使用者により選択された放送番組の映像が、ディスプレイ８の表示画面に表示される。
【手続補正６】
【補正対象書類名】明細書
【補正対象項目名】００５５
【補正方法】変更
【補正の内容】
【００５５】
一方、音声信号増幅回路９は、これに供給されたアナログ音声信号を必要なレベルにまで増幅して、これをスピーカ１０に供給する。これにより、衛星放送信号により提供され、使用者により選択された放送番組の音声が、スピーカ１０から放音される。
【手続補正７】
【補正対象書類名】明細書
【補正対象項目名】００７８
【補正方法】変更
【補正の内容】
【００７８】
この図４の例の場合には、(5)ＥＧテレビの欄の午前１１時からの放送時間が１時間の放送番組についての情報の表示エリアにカーソルが位置付けられ、カーソルが位置付けられた放送番組についての情報の表示エリアが反転表示される。そして、テレビ受像機の制御部１００は、カーソル位置を管理し、どの日のどの放送チャンネルのどの時間対のどの放送番組が選択されたかを判別することができるようにされている。
【手続補正８】
【補正対象書類名】明細書
【補正対象項目名】００７９
【補正方法】変更
【補正の内容】
【００７９】
なお、図４において、(1)ＡＢテレビ、(2)ＣＤテレビ、(5)ＥＧテレビなどの表示の、(1)、(2)、(5)…の数字は、放送チャンネル（伝送路）を識別するためのチャンネル番号に一致するものである。すなわち、(1)は１チャンネル（１ｃｈ）、(2)は、２チャンネル（２ｃｈ）、(5)は５チャンネル（５ｃｈ）である。
【手続補正９】
【補正対象書類名】明細書
【補正対象項目名】００８４
【補正方法】変更
【補正の内容】
【００８４】
図５は、録画予約された放送番組についての情報が表示するようにされたカレンダの表示例を説明するための図である。この実施の形態においては、図２を用いて前述したように、ディスプレイ８に表示されたカレンダにおいて、西暦２０００年の８月４日が選択され、さらに、図４を用いて前述したように、ディスプレイ８に表示されたＥＰＧ上において、(5)ＥＧテレビの欄の午前１１時からの放送番組（放送時間が１時間の番組）が選択された。
【手続補正１０】
【補正対象書類名】明細書
【補正対象項目名】００９５
【補正方法】変更
【補正の内容】
【００９５】
ステップＳ１の判断処理において、リモコン３０からのリモコン信号は、カレンダ呼び出しキーに応じたものであると判断したときには、制御部１００は、時計回路２１の現在年月日を参照し、現在年月日を含む月（当月）のカレンダ（カレンダ情報を含む予定表）を作成し（ステップＳ２）、これを図２を用いて前述したように、ＯＳＤ処理部６、映像信号処理回路７を通じてディスプレイ８に表示する（ステップＳ３）。
【手続補正１１】
【補正対象書類名】明細書
【補正対象項目名】０１１０
【補正方法】変更
【補正の内容】
【０１１０】
そして、ステップＳ１４の判断処理において、予約したい放送番組の選択がされたと判断したときには、制御部１００は、図４に示したＥＰＧの表示画面において、番組視聴予約アイコン９１が選択されたか否かを判断し（ステップＳ１７）、番組視聴予約アイコン９１が選択されたと判断したときには、ステップＳ１９の判断処理に進む。
【手続補正１２】
【補正対象書類名】明細書
【補正対象項目名】０１１１
【補正方法】変更
【補正の内容】
【０１１１】
ステップＳ１７の判断処理において、番組視聴予約アイコン９１が選択されていないと判断したときには、制御部１００は、録画予約アイコン９２が選択されたか否かを判断する（ステップＳ１８）。ステップＳ１８の判断処理において、録画予約アイコンが選択されていないと判断したときには、制御部１００は、ステップＳ１４からの処理を繰り返す。
【手続補正１３】
【補正対象書類名】図面
【補正対象項目名】図１
【補正方法】変更
【補正の内容】
【図１】
2002016844.tif 000001
【手続補正１４】
【補正対象書類名】図面
【補正対象項目名】図２
【補正方法】変更
【補正の内容】
【図２】
2002016844.tif 000002
【手続補正１５】
【補正対象書類名】図面
【補正対象項目名】図４
【補正方法】変更
【補正の内容】
【図４】
2002016844.tif 000003
【手続補正１６】
【補正対象書類名】図面
【補正対象項目名】図５
【補正方法】変更
【補正の内容】
【図５】
2002016844.tif 000004
【手続補正１７】
【補正対象書類名】図面
【補正対象項目名】図７
【補正方法】変更
【補正の内容】
【図７】
2002016844.tif 000005